(57)【要約】      （修正有）【課題】本考案は、携帯電話の現行品にタッチパネルを液晶表示部に貼り付け、専用ペン、制御回路を追加、独自のペン入力オペレーティングシステムと組合せる事により、手帳にペンでメモを取る感覚で、ＰＤＡ並みにスピーディにメール文の入力が可能な携帯電話に関する。【解決手段】現行の携帯電話に、タッチパネルを液晶表示部の前面に貼り付け、専用ペンを追加、独自のペン入力ＯＳプログラムと組合わせる事により、効率的かつスピーディな英字・かな入力を可能にするものです。本システムはテンキー入力との互換設計により、両方式による操作・文字入力が可能です。【選択図】図１
0003109319.tif 000002
【実用新案登録請求の範囲】
【請求項１】
独自の電極パターンのタッチパネルを液晶表示部の前部に貼り付け、現行のテンキー採用携帯電話機と操作面で互換性を図ったペン入力ＯＳと組合わせる事により、キーボードウインドウによる効率的でスピーディな英字・かな文字・外国語文字の入力、日本語変換を可能にすると共に、カーソル位置のペンによる指定、スケジュール・予定表での簡単なペン操作が可能な携帯電話機。
【請求項２】
５０音のかな文字を上画面のあ行〜は行と下画面のま行〜わ行に分割、初期画面にあ行〜は行の全ての文字を表示させ、キーボードウインドウの下ボタンをペンタッチするとま行〜わ行・記号の全ての文字等を表示させ、また次ボタンをペンタッチすると小文字のかな・記号を表示させ、それぞれの画面で任意の文字・記号をペンタッチし、選択する事により文字・記号を選択・入力できる事を特徴とするキーボードウインドウを採用した携帯電話機。
【請求項３】
英字モードでは全てのアルファベットの小文字のａからｚまでを上画面の初期画面に表示させ、また下ボタンをペンタッチすると下画面の大文字のＡからＺ・記号を表示させ、次ボタンをペンタッチすると特殊文字・記号等を表示させ、それぞれの画面で任意の文字・記号をペンタッチし、選択する事により文字・記号を選択・入力できる事を特徴とするキーボードウインドウを採用した携帯電話機。
【請求項４】
ペン操作により漢字変換を行った場合、変換候補を表示画面いっぱいに候補をカンマで区切った形で表示し、任意の候補をペンタッチする事により選択・入力でき、また候補が複数ページに及ぶ場合はウインドウ左上角の次ページをペンタッチする事によりページ２、３を表示させ、次ボタンの隣の前ボタンをペンタッチする事により前ページを表示させる事が出来るキーボードウインドウを採用した携帯電話機。
【考案の詳細な説明】
【技術分野】
【０００１】現在、携帯電話機は個人の携帯情報ツールとして、学生、ビジネスマン等に普及しています。特に安価な通信手段として、メール機能の利用は活発化してきています。しかし、携帯電話には携帯性が要求される事から薄型・軽量・コンパクトを実現する為、ストロークの短い、小さなキーのテンキーが採用されています。
【背景技術】
【０００２】現在、携帯電話には携帯性が要求される事から軽量・コンパクトを実現する為、ストロークの短い、小さなキーのテンキーを使用している為、メール文の作成に要求される英字・日本語入力の効率性、操作性に課題があります。
【考案の開示】
【考案が解決しようとする課題点】
【０００３】現在、携帯電話にはストロークの短い、小さなキーのテンキーが使用されており、両手又は片方の指で最大１０回も１つの小さいテンキーを押し続け、１０種類までの異なる文字を識別し、１文字を入力する為、操作性、効率性に課題があります。
現行の携帯電話で、”ぉ”を入力する場合、”あ”のキーを１０回押し続ける必要があります。１回でも多く押してしまった場合は、更に１０回追加で押す事が必要となります。
このようなメール文の入力効率の改善等を目指した情報機器にペン入力対応ＰＤＡがあります。これらでは、”あ”行から”わ”行までの文字を表示させたキーボードウインドウや手書き文字認識ウインドウが採用されています。これらには４８０ｘ３２０ドット以上の大表示容量の液晶パネルが採用されており、その大表示容量を活かし、全てのかな文字をキーボードウインドウに表示させ、ペンで文字をタッチし、選択する事により、文字を入力する事が可能です。しかし、ＰＤＡの外形寸法は携帯電話に比べてかなり大きくなります。また、手書き認識は、専用のセンサーボードを組み込む必要あり、携帯電話に組み込んだ場合、厚さ、外形寸法が大きくなります。
全てのかな文字を表示させる為には１０文字６行の表示エリアが必要となります。  このキーボードウインドウを携帯電話の２４０ｘ３２０ドットＱ−ＶＧＡ液晶に採用した場合、一般的な携帯電話の液晶表示の１０文字１０行の表示容量の内の１０文字６行がキーボード部に占有され、それにペン入力・編集に不可欠な入力モード表示・切替、変換・削除・カーソル移動の２行を加わえると、１０文字８行となり、残されたテキスト編集・表示エリアは１０文字２行しか取れません。この状態では、入力文を見ながらの文字入力は困難であり、この点がネックとなり、このような携帯電話の商品化はされていません。
最近、液晶の大表示容量化が進み、Ｑ−ＶＧＡが一般的になり、又画面サイズも２．４型等の大画面タイプの携帯電話が普及して来たことより、ペンタッチする際の文字サイズが２４ｘ２４ドット文字で３．５ｘ３．５ｍｍとある程度の大きさが確保できる様になりました。
【課題を解決するための手段】
【０００４】本考案は、タッチパネルを現行の携帯電話の液晶表示部に貼り付け、タッチパネルからＰＷＢまでのＦＰＣ配線接続、タッチパネルの制御回路を追加し、以下の独自のキーボードウインドウを採用したペン入力ＯＳプログラムと組み合わせる事により、携帯電話の薄型・軽量・コンパクト性を維持しつつ、手帳にペンでメモを取る感覚で、効率的かつスピーディなメール文の入力を可能にする携帯電話を実現するものです。
本考案のキーボードウインドウでは、図１の様に、液晶表示パネルの表示容量１０文字１０行を最大限に利用して、キーボード部を１０文字３行に圧縮し、これに入力モード表示・切替、変換・削除・カーソル移動の為の２行を加わえたキーボードウインドウを１０文字５行に収め、残された１０文字５行をテキスト編集・表示エリアとして確保する事ができます。
キーボードウインドウでは、図１、図２の様に、５０音のかな文字を上画面のあ行〜は行と、下画面のま行〜わ行に分割、あ行〜は行の全ての文字を初期画面で表示させ、表示されている文字をペンタッチする事により文字を選択できます。また図２の様に下ボタンをペンでタッチすると、キーボード部に、ま行〜わ行・記号までの全ての文字等を表示させ、文字をペンタッチする事により文字・記号を入力できます。例えば、ま行の文字入力を行った後、あ行の文字を選択する場合は画面左側の「上」ボタンをペンタッチする事によりあ行〜は行までの文字が表示させる事ができます。また、入力環境の設定により下画面からペンタッチで文字を選択した後に、初期画面の上画面に自動的に戻す設定にする事も可能です。
また、ぁ、ぇ、っと言った小文字を入力する場合は画面左側の「次」ボタンをペンタッチするとそれぞれの画面の小文字・記号の一覧がキーボード部に表示されます。小文字等を選択した後は、大文字の初期画面に戻ります。また、もう一度「次」をペンタッチすると元の大文字の画面に戻ります。本システムの採用により英字・かなは１又は２回、かなの小文字は３回のペンタッチで１文字を入力できます。
この文字配列は、５０音順の為、覚えやすい様に設計されています。
【０００５】本装置の携帯電話の現行品に対するコストアップ要因は、タッチパネル本体、タッチパネルからＰＷＢまでのＦＰＣ配線、プラスチック製の専用ペン、タッチパネルを管理する為のＬＳＩの追加のみで、大幅なコストアップを伴うものではありません。  コストを重視した普及型携帯電話への導入も可能です。上記以外は現行品のテンキー採用携帯電話の回路・機構部材を使用しており、部品の共用化により量産されている低価格の部材の使用が可能です。また、金型費・開発費もタッチパネル本体、携帯電話のボディーの一部、メモリーＬＳＩ、ＦＰＣ配線、ＰＷＢの一部、タッチパネル制御ＬＳＩ等のみに留めることも可能です。本携帯電話は、ビジネスマン、学生、主婦等の一般の携帯電話のユーザー層をターゲットとしている為、低コスト化を追求しております。
【考案の効果】
【０００６】本考案では、タッチパネルを液晶表示部前部に貼り付ける事により、携帯電話の厚さ・重量は、ほぼ現行品の厚さ・重量を維持できるものと考えます。また重量もプラスチック製の専用ペンの追加、ＬＳＩ１個の追加に留まりますので、現行品の重量を若干上回る程度に抑えることが可能です。また、外形寸法としては、現行品にタッチパネルシートを貼り付ける形になりますので、現行品と同程度の寸法に収まるものと考えます。
また、本考案では、図５の様に電気回路的には、携帯電話の現行品にタッチパネル、ＰＷＢまでのＦＰＣ配線、タッチパネルの制御用ＬＳＩを追加するだけです。
【０００７】本装置は、携帯電話・現行品と全く同じテンキー・方向キー等を備えると共に、タッチパネル・ペン入力ＯＳと組合せる事により、テンキー操作との互換設計という新しいコンセプトに基づき設計されています。ユーザーは用途に合わせてテンキー操作、ペン操作を使い分けられます。通常の電話時にはテンキーを使用し、メール文作成時にはスピーディにペン入力を行う事も可能です。また、テンキー操作で受信メールを受信し、読むことも可能です。
ペン入力途中でも、電話機を保持している左手の親指でテンキーそばの方向キーを操作し、画面のスクロール、カーソルの移動も可能です。
このように本考案は、携帯電話の携帯性を維持しつつ、ＰＤＡ並みのかな・英字の入力効率を、ＰＤＡの半額以下の価格で実現しており、出先や移動時の営業マンの出張報告メール文や学生の実家・友人へのメール文等も、手帳にペンでメモを取る感覚でスピーディに入力できる画期的な商品です。もはや、小さいキーを１０回も押し続け、１文字を入力する時代は終わります。
【０００８】現行の携帯電話は１文字につき最大１０回のキー操作が必要でしたが、ペン入力ＯＳでは１〜２回のペンタッチ操作でひらがな、カタカナ、英字、数字の１文字の入力が可能です。次ボタンをペンタッチする事により、かなの小文字・記号等を表示させ、選択する事も可能です。その場合のみ３回のペンタッチとなります。また、現行の携帯電話で英字を入力する場合、最大８回のキー操作が必要ですが、キーボードウインドウの場合は初期画面で全てのアルファベット文字の小文字が表示され、表示されている文字を１回ペンタッチするだけで１文字を入力できます。  英字の大文字を入力する際も、２回のペンタッチにより１文字の入力が可能です。
特に文字の使用頻度の高い英語、欧州言語の場合は、ペン入力ＯＳにより大幅な入力効率の改善、操作性の向上が図れます。また、全ての英字を大文字で入力する場合は、入力環境の設定により指定したボタンをペンタッチしない限り１回のペンタッチで全て大文字の英字を入力する様に設定する事も可能です。デフォルトの初期表示画面を指定できます。
【０００９】また、本システムは、ペン入力ＯＳプログラムの改変により、同じ漢字を使用する中国語を初め、日本語以外の英語・欧州言語・アジア諸国の各国語等への展開が可能です。例えば、ドイツ語の場合、ドイツ語専用のアルファベット文字のウムラウト等の特殊文字の表示・入力が２タッチで簡単に行える事は元より、欧州言語専用の辞書と組み合わせる事により自動でスペルチェック・自動訂正も行う様に設定できます。例えば、ドイツ語の場合、名詞の頭文字は大文字で表記されますが、全て小文字のアルファベットで入力するだけで自動的にスペースで区切られた単語を辞書データベースで照合し、名詞の場合は先頭文字を大文字に自動的に修正する事も可能です。また英語の場合、私を意味するｉが小文字で入力されても、自動的に大文字に訂正する様に仕組めます。
【００１０】カーソルの移動・編集機能としては、漢字変換の確定、行の左端へのジャンプ、文末へのジャンプ、文頭へのジャンプ、文字の削除、左右上下へのカーソルの移動、漢字変換、前の変換候補に戻す事も、１回のペンタッチで出来ます。また、ひらがな、カタカナ、英字、数字の各入力モードの選択・切替も、ワンタッチのペン操作で可能です。
ペン入力ＯＳでは、表示画面下中央のペンとある部分を１回ペンタッチするだけで、キーボードウインドウを開いたり、ウインドウを閉じ１０文字１０行に作成したメール文を画面いっぱいに表示させ、確認する事も可能です。
【００１１】タッチパネルの透明電極・ＦＰＣ配線は液晶表示の１０文字１１行全面をカバーする様に設計されている事より、メール文の入力・編集エリアにおけるカーソル位置のペンによる指定が可能となります。但し、半角文字の場合は右又は左へのカーソル移動操作により、半角文字を指定して頂く必要がありますが、半角文字の識別が可能な様に２０列１１行のタッチパネルの採用により半角文字のカーソル位置指定も出来ます。
【００１２】電話会社各社が提供する絵文字の入力に際しては、１０文字１０行の画面に絵記号を一覧表示し、１回のペンタッチにより任意の絵記号をタッチする事により、絵記号を入力できます。ウインドウの左上角の次ボタンのクリックによりページ２、ページ３の絵文字を表示させることが可能です。また次ボタンの隣の前ボタンのクリックによりページ１を表示させる事も可能です。
【００１３】ペン入力に対応した日本語変換機能により、例えばペン入力で「きかん」と入力し、変換ボタンをペンタッチした場合、基幹、季刊、期間、器官、気管、機関．．．といった形で、１０文字１０行のウインドウ全面に、カンマで変換候補を区切った形で変換候補を一覧表示させ、任意の候補を１回ペンタッチするだけで文字が取り込めます。また、同ウインドウの左上角の次、又は前をペンでタッチすると、ページ２、ページ３の候補を表示したり、ページ１に戻る事も可能です。本考案では、携帯電話・現行品の場合の様に変換候補の選択に際しては、何度も何度も方向キーを操作をする必要はありません。１０文字１０行のエリアに一覧表示された候補より任意の候補を１回ペンタッチするだけで済みます。このようにペンタッチの操作回数を極限まで引き下げております。
【００１４】１０列１１行又は、２０列１１行のタッチパネルの透明電極・ＦＰＣ配線を液晶表示画面の全面をカバーさせる事より、ペンによるメール文の作成に加え、メール文の入力編集エリアにおけるカーソル位置のペンによる指定が可能になる上、予定表、アドレス帳、写真のサムネイル表示・管理、メモ帳モードでも、ペン入力操作により文字入力・ペンによる選択・実行等が可能となります。
【実施例】
【００１５】１０文字１０行の表示仕様の液晶パネルを搭載した一般的な携帯電話の場合の実施例にて、表示画面、キーボードウインドウの表示画面、タッチパネルの構造、ウインドウにつき、図１〜９にて説明致します。
【図面の簡単な説明】
【００１６】
【図１】１０文字１０行Ｑ−ＶＧＡ液晶搭載・携帯電話への実施例、初期表示画面の図を示します。
【図２】キーボードウインドウのキーボード部の表示画面の図を示します。
【図３】タッチパネルのキーマトリックスの図を示します。
【図４】タッチパネルの断面図を示します。
【図５】システム構成ブロックを図で示します。
【図６】予定表・カレンダーモードの表示画面を図で示します。
【図７】予定表・週間スケジュールモードの表示画面を図で示します。
【図８】予定表・１日のスケジュールモードの表示画面を図で示します。
【図９】メモ帳モードの表示画面を図で示します。
【符号の説明】
【００１７】１キーボード部
２文字入力モード・切り替えボタン
３カーソル移動・編集・削除・変換ボタン
４テキスト入力エリア
５ペン入力Ｗｉｎｄｏｗを開く・閉じる、Ｆｕｎｃｔｉｏｎキー
６電池残量、受信状態の表示
７ＦＰＣ（フレキシブルプリント配線基板）
８上側のプラスチック基板
９縦方向の透明電極配線
１０スペーサー
１１横方向の透明電極配線
１２下側のプラスチック基板
１３液晶保護パネル
１４液晶パネル
１５専用ペン
【図１】
0003109319.tif 000003
【図２】
0003109319.tif 000004
【図３】
0003109319.tif 000005
【図４】
0003109319.tif 000006
【図５】
0003109319.tif 000007
【図６】
0003109319.tif 000008
【図７】
0003109319.tif 000009
【図８】
0003109319.tif 000010
【図９】
0003109319.tif 000011
【手続補正書】
【提出日】平成16年11月10日(2004.11.10)
【手続補正１】
【補正対象書類名】実用新案登録請求の範囲
【補正対象項目名】全文
【補正方法】変更
【補正の内容】
【実用新案登録請求の範囲】
【請求項１】
タッチパネルの一方のプラスチック基板に縦方向・もう一方のプラスチック基板に横方向の向かい合うそれぞれの面にストライプ状の透明電極配線を配し上下間に一定の隙間を設けた一対の張り合わされたプラスチック基板から成るタッチパネルを液晶表示部の前部に貼り付け、専用ペンにて任意の文字・記号を加圧すると両方の配線が接触し加圧した場所の文字を検出できるようにすると共に、これと０から９までの１０個の数字キーから成るテンキーを採用した携帯電話機と操作面で互換性を図り、テンキーからでもペンからでも文字入力が可能な事を特徴とするペン入力ＯＳと組合わせることにより、電話使用時にはキーボタンで操作し、メール文作成時にはペンを使いキーボードウインドウによる効率的でスピーディな英字・かな文字・外国語文字の入力・日本語変換を可能にすると共に、カーソル位置のペンによる指定、スケジュール・予定表での簡単なペン操作が可能な携帯電話機。
【請求項２】
５０音のかな文字を上画面のあ行〜は行と下画面のま行〜わ行に分割、初期画面にあ行〜は行の全ての文字を表示させ、キーボードウインドウの下ボタンをペンタッチするとま行〜わ行・記号の全ての文字等を表示させ、また次ボタンをペンタッチすると小文字のかな・記号を表示させ、それぞれの画面で任意の文字・記号をペンタッチし、選択する事により文字・記号を選択・入力できる事を特徴とするキーボードウインドウを採用した携帯電話機。
【請求項３】
英字モードでは全てのアルファベットの小文字のａからｚまでを上画面の初期画面に表示させ、また下ボタンをペンタッチすると下画面の大文字のＡからＺ・記号を表示させ、次ボタンをペンタッチすると特殊文字・記号等を表示させ、それぞれの画面で任意の文字・記号をペンタッチし、選択する事により文字・記号を選択・入力できる事を特徴とするキーボードウインドウを採用した携帯電話機。
【請求項４】
ペン操作により漢字変換を行った場合、変換候補を表示画面いっぱいに候補をカンマで区切った形で表示し、任意の候補をペンタッチする事により選択・入力でき、また候補が複数ページに及ぶ場合はウインドウ左上角の次ページをペンタッチする事によりページ２、３を表示させ、次ボタンの隣の前ボタンをペンタッチする事により前ページを表示させる事が出来るキーボードウインドウを採用した携帯電話機。
【手続補正２】
【補正対象書類名】明細書
【補正対象項目名】００１６
【補正方法】変更
【補正の内容】
【００１６】
【図１】１０文字１０行Ｑ−ＶＧＡ液晶搭載・携帯電話への実施例、初期表示画面の図を示します。
【図２】キーボードウインドウのキーボード部の表示画面の図を示します。
【図３】タッチパネルのキーマトリックスの図を示します。
【図４】タッチパネルの断面図を示します。
【図５】システム構成ブロックを図で示します。
【図６】予定表・カレンダーモードの表示画面を図で示します。
【図７】予定表・週間スケジュールモードの表示画面を図で示します。
【図８】予定表・１日のスケジュールモードの表示画面を図で示します。
【図９】メモ帳モードの表示画面を図で示します。
【図１０】タッチパネル付きペン入力携帯電話の正面図を図で示します。
【図１１】タッチパネル付きペン入力携帯電話の断面図を図で示します。
【手続補正３】
【補正対象書類名】明細書
【補正対象項目名】００１７
【補正方法】変更
【補正の内容】
【００１７】１キーボード部
２文字入力モード・切り替えボタン
３カーソル移動・編集・削除・変換ボタン
４テキスト入力エリア
５ペン入力Ｗｉｎｄｏｗを開く・閉じる、Ｆｕｎｃｔｉｏｎキー
６電池残量、受信状態の表示
７ＦＰＣ（フレキシブルプリント配線基板）
８上側のプラスチック基板
９縦方向の透明電極配線
１０スペーサー
１１横方向の透明電極配線
１２下側のプラスチック基板
１３液晶保護パネル
１４液晶パネル
１５専用ペン
１６タッチパネル
１７方向キー
１８テンキー
１９メニューボタン、カメラボタン、その他のボタン
２０液晶表示パネルの表示面
【手続補正４】
【補正対象書類名】図面
【補正対象項目名】図１０
【補正方法】追加
【補正の内容】
【図１０】
0003109319.tif 000012
【手続補正５】
【補正対象書類名】図面
【補正対象項目名】図１１
【補正方法】追加
【補正の内容】
【図１１】
0003109319.tif 000013